(57)【特許請求の範囲】
【請求項１】
天然繊維、人工繊維又は綿様状の繊維製品を納豆菌（Ｂｕｃｉｌｌｕｓ  ｎａｔｔｏ）及び／又は枯草菌（Ｂｕｃｉｌｌｕｓ  ｓｕｂｔｉｌｉｓ）の担体とし、担体重量の０．５〜２０．０％の納豆菌及び／又は枯草菌の菌体及び胞子を付着した担体重量が０．５〜１０．０ｇのものを内容量１５〜２００ｍｌの弾力性を備えた瓶に収容するものであり、使用に際し、この瓶の胴部を指で挟む圧迫と圧迫の解除を交互に繰返すことにより納豆菌及び／＋又は枯草菌の菌体及び胞子を含む空気を瓶の口から目的とする方向に吹き出すことを特徴とする
花粉症及びアレルギー性鼻炎抑制容器。
【発明の詳細な説明】
【技術の分野】
【０００１】  本発明は、花粉症及びレルギー性鼻炎の症状の緩和、もしくは抑制を図った納豆菌及び枯草菌、並びにその担体の応用に関する。
【背景技術】
【０００２】  従来、稲藁の堆肥化の過程で、不完全醗酵の稲藁の取扱を実施した効果として作業者の花粉症の症状が緩和したとする体験が報告され、不完全醗酵の稲藁から飛散する納豆菌（Ｂｕｃｉｌｌｕｓ  ｎａｔｔｏ）の胞子を取り込んだことが花粉症の症状の緩和に作用したものと推定している。【０００３】  又、元来、納豆菌が常在する藁を不完全醗酵したものの胞子組成物、もしくは藁にバチルス属菌体、バチルス  コーアグランス（Ｂｕｃｉｌｌｕｓ  ｃｏａｇｌａｎｓ）及び／又はバチルス  サークランス（Ｂｕｃｉｌｌｕｓ  ｃｉｒｃｕｌａｎｓ）を接種した藁を不完全醗酵したものの胞子組成物の担体をマスク内部に備えた花粉マスクを提案し、花粉症の緩和に働くものとして期待している。【０００４】  更に、上記納豆菌、バチルス  コーアグランス及び／又はバチルス  サークランスが着床した不完全醗酵の藁、又はこれらバチルス属の胞子組成物の担持体を  ハーブ、又は固形香料を配合した芳香剤が提案され、除放する納豆菌及び／又はバチルス属の胞子が花粉症の緩和に働くものとして期待している。
【先行技術文献】
【０００５】
【特許文献】
【特許文献】  特開２００４−９７２１６号
【０００６】
【非特許文献】
【非特許文献】  現代農業２００７・３Ｐ２９５〜３０５  春の花粉症大特集  社団法人  農山漁村文化協会
【発明の概要】
【発明が解決しようとする課題】
【０００７】  以上述べたように、従来、不完全醗酵の藁が除放する納豆菌の胞子を含む空気を呼吸することが、花粉症抑制に効果があるものとしている。  しかし、自然では、藁は、納豆菌と枯草菌（Ｂｕｃｉｌｌｕｓ  ｓｕｂｔｉｌｉｓ）を常在菌としているもので、又、この両者は共に胞子形成菌であり、その菌体と胞子の分離、並びに納豆菌と枯草菌の分離は難しいものである。【０００８】  本発明者は、後述するように、納豆菌のみならず枯草菌の菌体及び胞子を含む空気が、花粉症及びアレルギー性鼻炎の抑制に作用することを裏付けている。【０００９】  上記に述べたように、従来、不完全醗酵の藁が花粉症の抑制に有効なものとして、不完全醗酵の藁を加工した花粉症抑制剤、花粉マスク及び芳香剤が提案されているが、藁は、茎、葉及び穂から構成される非定形的なものであり、且つ、発塵性があり、居住空間への持ち込みに馴染まないものであること、並びに、花粉マスク及び芳香剤への加工も容易でないという問題がある。【００１０】  元来、花粉症は、花粉を抗原としてアレルギー性鼻炎とアレルギー性結膜炎を併発するのが一般的と云える。従って花粉症抑制を目的として、花粉症抑制に作用する納豆菌及び／又はバチルス属菌の胞子を含む空気に花粉症の患者を置いた場合、患者は呼吸によって納豆菌及び／又はバチレス属菌の胞子を、鼻腔に取り込むことで、アレルギー性鼻炎抑制効果を得るものである。【００１１】  一方、納豆菌及び／又はバチルス属菌の胞子の眼粘膜への供給は、空気中からの自然落下に依存する故に、納豆菌及び／又はバチルス属菌の胞子がの粘膜に落下する頻度は、鼻腔と比較して小であり、アレルギー性結膜炎の抑制は不確実になるという問題がある。【００１２】  又、従来、不完全醗酵の藁の納豆菌及びバチルス属菌体の胞子及び胞子組成物が花粉症抑制に効果があるものとしている。しかし、納豆菌及びバチルス属の菌体から胞子化する割合は不安定で、藁から胞子及び胞子組成物の分離回収は技術的な課題が多いと云える。更に納豆菌及びバチルス属の菌体は、乾燥状態においては、その担体から空気中に離脱するものであるが故に、従来、花粉症抑制に作用する納豆菌及びバチルス属の胞子及び胞子組成物を、菌体と区別することは困難であるという問題がある。【００１３】  更に、本発明者は納豆菌及び枯葉菌の菌体及び胞子は花粉症のみならず、アレルギー性鼻炎の緩和に作用するものであるということを複数の体験から裏付けてあり、その応用範囲を拡大することを提案している。【００１４】  本発明は、このような従来の構成が有する問題を解決しようとするもので、花粉症及びアレルギー性鼻炎の抑制に作用する納豆菌及び／又は枯草菌の菌体及び胞子の担体を、藁から天然繊維、人工繊維、又は炭素繊維を使用した繊維製品：例えば、不織布、紙、布、フェルト、紐又は綿に替えることによって、花粉症及びアレルギー性鼻炎の症状の緩和を目的とした、花粉症及びアレルギー性鼻炎抑制用品を提供し、従来の構成が有した問題を解決しようとするものである。
【問題を解決するための手段】
【００１５】  本発明において、納豆菌の菌体及び胞子の生産に当たって、市販の納豆を種菌として液体培地に接種し、培養を行い、減衰期に液体培地を０〜１０℃の低温処理を行い胞子化を促し、納豆菌の菌体及び胞子を含む菌液を生産するものである。
【００１６】  又、枯草菌の菌体及び胞子の生産に当たって、市販の減菌指標菌の枯草菌を種菌として、液体培地に接種し、培養を行い、減衰期に液体培地を０〜１０℃の低温処理を行い、胞子化を促し、枯草菌の菌体及び胞子を含む菌液を生産するものである。
【００１７】  又、納豆菌及び枯草菌の菌体及び胞子の生産に当たって、上記の納豆菌の菌体及び胞子を含む菌液、並びに枯草菌の菌体及び胞子を含む菌液を種菌として、液体培地に接種し、培養を行い、減衰期に液体培地を０〜１０℃の低温処理を行い、胞子化を促し、納豆菌及び枯草菌の菌体及び胞子を含む菌液を生産するものである。
【００１８】本発明は、シート状の繊維製品；例えば、紙、布、及び不織布を上記に説明した納豆菌及び／又は枯草菌の菌体及び胞子を含む菌液に潜らせる、もしくは浸漬して、繊維を担体とし、その担体の表面に納豆菌及び／又は枯草菌の菌体及び胞子を付着させるものである。
【００１９】  次に、前記の納豆菌及び／又は枯草菌の菌体及び胞子を付着した担体、即ち、紙、布、及び不織布は、菌液から引き揚げた後、水分率１０〜２０％の範囲まで乾燥させ、花粉症及びアレルギー性鼻炎抑制シートとするものである。尚、花粉症及びアレルギー性鼻炎抑制シートに付着した納豆菌及び又は枯草菌の菌体及び胞子をの重量は、担体自重の０．５〜２０％の範囲が良い。
【００２０】又、本発明は、ロープ状の繊維製品；例えば、毛糸、紐、及びロープを、上記に説明した納豆菌及び／又は枯草菌の菌体及び胞子を含む菌液に潜らせる、もしくは、浸漬した後、直ちに水分率１０〜２０％の範囲まで乾燥させ、花粉症及びアレルギー性鼻炎抑制ロープとするものである。尚、花粉症及びアレルギー性鼻炎抑制ロープに付着した納豆菌及び／又は枯草菌の菌体及び胞子の重量は、担体自重の０．５〜２０％の範囲がよい。
【００２１】又、本発明は、綿状の繊維製品；例えば、木綿、脱脂綿、羊毛、羽毛、パルプ及びフエルトを上記に説明した納豆菌及び／又は枯草菌の菌体及び胞子を含む菌液に潜らせる、もしくは浸漬させた後、直ちに水分率を１０〜２０％の範囲まで乾燥させ、花粉症及びアレルギー性鼻炎抑制綿とするものである。尚、花粉症及びアレルギー性鼻炎抑制綿に付着した納豆菌及び／又は枯草菌の菌体及び胞子の重量は、担体重量の０．５〜２０％の範囲が良い。
【００２２】  以上説明の本発明になる花粉症及びアレルギー性鼻炎抑制シート、花粉症及びアレルギ鼻炎抑制ロープ、並びに花粉症及びアレルギー性鼻炎抑制綿において共通していることの第１は、天然繊維、人工繊維又は炭素繊維を、納豆菌及び／又は枯草菌の菌体及び胞子の担体としているもので、これら繊維は比表面積に富み、単位重量当たりの微生物付着密度を高くすることできる。又これらの繊維は嵩比重が比較的に小さく、且つ、折りたたみ、巻き取り、及び裁断の自由度が高い故に、患者の多様な生活の型に対応した応用範囲を拡げることが容易である。
【００２３】  第２は、担体の繊維、並びにそれに付着している納豆菌及び／又は枯草菌の菌体及び胞子は、水分率の低い状態で保存する故に、休眠状態を持続し、長期に渉って生命を維持するものである。
【００２４】  第３は、空気中に放置した場合において、担体の繊維、並びにそれに付着している納豆菌及び／又は枯草菌の菌体及び胞子は、上記の通り乾燥状態にあるが故に、納豆菌及び／又は枯草菌の菌体及び胞子は、担体から長期に渉って漸次離脱を続け、担体と接触する空気に浮遊する、即ち除放するものである。
【００２５】  次に、上記に述べた空気に浮遊する納豆菌及び／又は枯草菌の菌体及び胞子が、花粉症及びアレルギー性鼻炎の緩和もしくは抑制に作用する仕組みについて説明する。花粉症及びアレルギー性鼻炎の患者が、納豆菌及び／又は枯草菌の菌体及び胞子を浮遊する空気を呼吸する際、吸気によって納豆菌及び／又は枯草菌の菌体及び胞子は鼻腔に入り、鼻粘膜上の粘液に落下して、水を得て活性化し、活性化した納豆菌及び／又は枯草菌は栄養を求めて、分解酵素を粘液に向けて分泌するものである。
【００２６】  納豆菌及び／又は枯草菌が分泌する分解酵素を含む鼻腔の粘液に、花粉症及びアレルギー性鼻炎の原因物質とされる花粉、もしくは、だにやかび等が吸気から落下すると、花粉、もしくはだにやかび等は抗原となる水溶性の蛋白質及び糖蛋白を粘液中に溶出する。しかし、納豆菌及び／又は枯草菌が分泌する分解酵素の作用を受けた花粉症及びアレルギー性鼻炎の抗原の蛋白質及び糖蛋白は分解され、その抗原性を失うものである。
【００２７】  又、眼の粘膜において、粘膜上の粘液に納豆菌及び／又は枯草菌の菌体及び胞子が落下すれば、その菌体及び胞子は水を得て活性化し、活性化した納豆菌及び／又は枯草菌は栄養を求めて、分解酵素を粘液に分泌する故に、花粉症の原因物質とされる花粉が眼の粘膜に落下して、粘液中に溶出する花粉の抗原となる蛋白質及び糖蛋白は、その分解酵素の作用を受けて抗原性を失うものである。
【００２８】  上記詳細な説明の通り、鼻及び眼の粘膜の粘液に、納豆菌及び／又は枯草菌の分解酵素が分泌されている場合、鼻及び眼の粘膜において花粉、だに及びかび等の抗原は、この分解酵素の作用により分解し、抗原の粘膜下部への侵入する頻度が減少するものである。
【００２９】  花粉症及びアレルギー性鼻炎の発症の引き金となる抗原抗体反応は、抗原が鼻や目の粘膜下部に侵入して起きるものであり、従って、鼻及び眼の粘膜上の粘液に花粉症とアレルギー性鼻炎の原因とされる花粉、だに及びかび等が落下した際に、粘液中に納豆菌及び／又は枯草菌に由来する分解酵素が充分に存在する場合、これら抗原は、粘膜上部において分解酵素の作用で分解される故に、抗体が待ち受ける粘膜下部に向けて、これら抗原の侵入は阻害される、即ち、花粉症とアレルギー性鼻炎発症の引き金とされる花粉もしくは、だにやかび等に対する抗原抗体反応が成立する頻度が低下することによって、花粉症とアレルギー性鼻炎の症状が緩和される、もしくは、発症が抑制されるものと推定される。但し、この推定は未解明と云える。
【００３０】  次に、本発明が提供する花粉症及びアレルギー性鼻炎抑制シート、花粉症及びアレルギー性鼻炎抑制ロープ、もしくは花粉症及びアレルギー性鼻炎抑制綿の３者に共通するものは、納豆菌及び／又は枯草菌の担体となるものは繊維であり、空気中に曝した場合、担体から納豆菌及び／又は枯草菌の菌体及び胞子を除放し、納豆菌及び／又は枯草菌の菌体及び胞子を含む空気を作るものである。
【００３１】  空気中に浮遊する納豆菌及び／又は枯草菌の菌体及び胞子を、鼻及び眼に取り込むことが花粉症及びアレルギー性鼻炎の発症の抑制に効果があるということは既述の通りであり、従って、花粉症及びアレルギー性鼻炎の患者の日常生活の中で、滞在時間の長い、もしくは使用頻度の比較的高い屋内において、患者の手の届く範囲に花粉症及びアレルギー性鼻炎抑制シート、花粉症及びアレルギー性鼻炎抑制ロープ、及び花粉症及びアレルギー性鼻炎抑制綿、の３者のうち、少なくとも１者、もしくは２者、又は３者を空気中に露出させて置くことによって、担体が除放する納豆菌及び／又は枯草菌の菌体及び胞子を含む空気を患者の雰囲気とするものであり、患者は比較的に高い頻度で納豆菌及び／又は枯草菌の菌体及び胞子を鼻や目に取り込むことが可能となり、花粉症及びアレルギー性鼻炎抑制の効果を現すものとして花粉症及びアレルギー性鼻炎抑制方法を提案している。
【００３２】  又、花粉症及びアレルギー性鼻炎抑制方法において使用する花粉症及びアレルギー性鼻炎抑制シート、花粉症及びアレルギー性鼻炎抑制ロープ、もしくは花粉症及びアレルギー性鼻炎抑制綿の使用量は、使用する部屋の体積に相関するものとして０．５〜３０．０ｇ／ｍ３を推奨している。
【００３３】  次に本発明が提供する、花粉症及びアレルギー性鼻炎抑制シート、花粉症及びアレルギー性鼻炎抑制ロープ、もしくは花粉症及びアレルギー性鼻炎抑制綿を用いた花粉症及びアレルギー性鼻炎抑制送風装置について説明する。花粉症及びアレルギー性鼻炎抑制送風装置の第１の例とした花粉症及びアレルギー性鼻炎抑制送風機の概念を示す図１において、本体ケース２の空気取り入れ口１から取り入れた空気は回転するファン４により強制的に空気吹き出し口６に向けて流され、花粉症及びアレルギー性鼻炎抑制綿５と接触することにより、花粉症及びアレルギー性鼻炎抑制綿５から納豆菌及び／又は枯草菌の菌体及び胞子の離脱を促し、その菌体及び胞子を含む空気を、空気吹き出し口６から吹き出すものである。即ち、図１の花粉症及びアレルギー性鼻炎抑制送風機は納豆菌及び／又は枯草菌の菌体及び胞子を含む空気の流れを屋内に及ぼし、納豆菌及び／又は枯草菌の菌体及び胞子を花粉症及びアレルギー院鼻炎の患者の鼻や目に取り込む頻度を高めることにより、その症状を抑制する効果を期待するものである。
【００３４】  図１において、花粉症及びアレルギー性鼻炎抑制綿５を、図の説明にない花粉症及びアレルギー性鼻炎抑制シート、又は、花粉症及びアレルギー性鼻炎抑制ロープと代替又は、併用すること、並びに、ファン４による風向きを逆転し、空気吹き出し口６を空気入り口に、空気入り口１を空気吹き出し口に変更することは本発明に属する。
【００３５】  花粉症及びアレルギー性鼻炎抑制送風装置の第２の例として花粉症及びアレルギー性鼻炎抑制扇風機の概念を示す図２において、扇風機の保護カバー７に花粉症及びアレルギー性鼻炎抑制ロープ８を取り付けている。ファン４の駆動により空気は、矢印の方向に強制的に流されて、花粉症及びアレルギー性鼻炎抑制ロープ８に接触することにより、花粉症及びアレルギー性鼻炎抑制ロープ８から納豆菌及び／又は枯草菌の菌体及び胞子の離脱を促し、その菌体及び胞子を含む空気を、矢印の方向に強制的に流すものである。
即ち、図２の花粉症及びアレルギー性鼻炎抑制扇風機は、納豆菌及び／又は枯草菌を含む空気の流れを屋内につくり、納豆菌及び／又は枯草菌の菌体及び胞子を花粉症及びアレルギー性鼻炎の患者の鼻や目に取り込む頻度を高める場を形成し、その症状を抑制する効果を期待するものである。
【００３６】  図２において、花粉症及びアレルギー性鼻炎抑制ロープ８を図２の説明に無い花粉症及びアレルギー性鼻炎抑制シートと代替、又は併用することは本発明に属する。
【００３７】  花粉症及びアレルギー性鼻炎抑制送風装置において、第１の例、第２の例について、それぞれ図１及び図２による説明とは別に、図を用いた説明のない、空調機、換気扇、空気清浄機、温風器、冷房機及び消臭機の強制送風機搆の吹き出し口付近に花粉症及びアレルギー性鼻炎抑制シート、花粉症及びアレルギー性鼻炎抑制ロープ、及び花粉症及びアレルギー性鼻炎抑制綿の３者のうち、少なくとも１者、もしくは２者、又は３者を装着することによって、納豆菌及び／又は枯草菌の菌体及び胞子を含む空気を強制的に一定の方向に流す装置は本発明に属する。
【００３８】  アレルギー性鼻炎の抗原の発生源の多くは屋内にある故に本発明の提案になる、前述の花粉症及びアレルギー性鼻炎抑制方法、及び花粉症及びアレルギー性鼻炎抑制送風装置の使用により、アレルギー性鼻炎の患者は、納豆菌及び／又は枯草菌の菌体及び胞子を含む空気を呼吸して、アレルギー性鼻炎抑制効果を得るものである。
しかし、花粉症の場合、抗原の発生源は普通屋外にあるが故に、前述の花粉症及びアレルギー性鼻炎抑制方法、並びに花粉症及びアレルギー性鼻炎抑制送風装置の使用は、症状の抑制に満足できる効果を現したとは云えないという課題の存在が本発明の過程で判り、本発明は、この課題に答える手段として、請求項１に記載の花粉症及びアレルギー性鼻炎抑制容器を提案し、図３及び図４を用いて説明する。
【００３９】  図３において、瓶１３は、プラスチックを成形した弾力性を具えた瓶で、ＸＸの横断面は、円、楕円、もしくは四角形のいづれでも良い、瓶１３の内容量は１５〜２００ｍｌであり、花粉症及びアレルギー性鼻炎患者の外出に際し、容易に携帯できる寸法、形状を具えるものが良い。
瓶１３の中には、花粉症及びアレルギー性鼻炎抑制ロープ８が０．５〜１０．０ｇが収納されている。瓶１３の口には有孔中蓋１２があり、更に蓋１１によって、外気と遮断されている。瓶１３の中の空気は、花粉症及びアレルギー性鼻炎抑制ロープ８から離脱した納豆菌及び／又は枯草菌の菌体及び胞子を含んでいるものである。
【００４０】  花粉症及びアレルギー性鼻炎の患者は、この花粉症及びアレルギー性鼻炎抑制容器の使用に際しては、外蓋１１を外し、中蓋孔１４を顔面に向けて、図４に示すように瓶１３の胴部分を指で挟んで圧迫し、瓶１３の中の納豆菌及び／又は枯草菌の菌体及び胞子を含む空気を顔面に向けて吹き出すことによって、患者は屋外にあっても容易に納豆菌及び／又は枯草菌の菌体及び胞子を鼻の粘膜及び眼の粘膜に取り込むことが可能となる。
次に胴部の圧迫を解除すると、瓶１３の内部は一時的に減圧され、中蓋孔１４から外部の空気を引き込んで常圧に戻るものであり、その際中蓋孔１４から引き込まれる空気は、花粉症及びアレルギー性鼻炎抑制ロープ８と接触し納豆菌及び／又は枯草菌の菌体及び胞子の離脱を促し、且つそれを含むようになる。瓶１３の胴部を次に圧迫すると、図４に示すように中蓋孔１４から納豆菌及び／又は枯草菌の菌体及び胞子を含む空気を矢印の方向に吹き出すものである。
【００４１】  上記説明の通り、花粉症及びアレルギー性鼻炎抑制容器は、瓶１３の胴部の圧迫と圧迫の解除を繰り返すことによって、納豆菌及び／又は枯草菌の菌体及び胞子を含む空気を、間欠的に図４の矢印の方向に吹き出すものであり、屋外の気流のある所に処にあっても、使用者の鼻や目の方向に納豆菌及び／又は枯草菌の菌体及び胞子を含む空気を流し、使用者の鼻や目に、その菌体及び胞子を届けることで、花粉症及びアレルギー性鼻炎を抑制する効果を現すものである。
【００４２】  図３及び図４において、花粉症及びアレルギー注鼻炎抑制ロープ８を、図３及び図４の説明にない花粉症及びアレルギー性鼻炎抑制シート又は花粉症及びアレルギー性鼻炎抑制綿と代替、又は併用すること、並びに、有孔中蓋１２を具えない瓶１３は本発明に属する。
【００４３】  次に、花粉症抑制マスクについて説明する。花粉症抑制マスクは、マスクの内側に花粉症及びアレルギー性鼻炎抑制シートの片面の面積が５〜４００ｃｍ２のものを１枚もしくは複数枚を備えたもので、使用者の呼吸に際して、花粉症及びアレルギー性鼻炎抑制シートが除放する納豆菌及び／又は枯草菌の菌体及び胞子を含む空気を、吸気によって鼻腔に取り込み、鼻粘膜に納豆菌及び／又は枯草菌の菌体及び胞子を供給するものである。又、呼気の１部は、マスクと顔面の隙間から吹きだし、眼粘膜に納豆菌及び／又は枯草菌の菌体及び胞子を供給するものである。
【００４４】  本発明の花粉症抑制マスクにおいて、花粉症及びアレルギー性鼻炎抑制シートを花粉症及びアレルギー性鼻炎抑制ロープ及び／又は花粉症及びアレルギー性鼻炎抑制綿と代替、又は併用することは本発明に属する。
【発明の効果】
【００４５】  上述のように、本発明の花粉症及びアレルギー性鼻炎抑制用品即ち、花粉症及びアレルギー性鼻炎抑制シート、花粉症及びアレルギー性鼻炎抑制ロープ、花粉症及びアレルギー性鼻炎抑制綿、花粉症及びアレルギー性鼻炎抑制送風装置、花粉症及びアレルギー性鼻炎抑制容器並びに花粉症抑制マスクは、花粉症及びアレルギー性鼻炎を抑制する目的で、簡単な操作で納豆菌及び／又は枯草菌の菌体及び胞子を、花粉症及びアレルギー性鼻炎を発症する器官、即ち、目や鼻に届けることによりその症状を抑制する手段を提供するものである。
【発明を実施するための形態】
【００４６】  本発明の枯草菌を用いた花粉症及びアレルギー性鼻炎抑制シートの実施例を以下の通り説明する。
【実施例１】
【００４７】  枯草菌の担体として、市販のナイロン１００％のスパンボンド不織布の目付４０ｇ／ｍ２のものを巾２０ｃｍ長さ５０ｃｍの長方形に裁断したものを用いた。以下これを２０×５０担体という。この２０×５０担体１枚当たりの重量は平均４．２ｇであった。【００４８】  この２０×５０担体を、枯草菌の個体数が２．５×１０７／ｇの菌液を潜らせて、枯草菌を２０×５０担体に付着させた後、水分率１５％まで乾燥した重量は、２０×５０担体１枚当たり平均４．６ｇであった。【００４９】  上記の枯草菌を付着した２０×５０担体をナイロンとポリエステル積層フィルムの袋に使用説明書と共に収納し直ちに密封したものを花粉症及びアレルギー性鼻炎抑制シートＳとした。【００５０】  上記説明の花粉症及びアレルギー性鼻炎抑制シートＳをアレルギー性鼻炎の患者６名に対して、花粉症及びアレルギー性鼻炎抑制方法１に従った試用を依頼した。試用の結果は次の通りであった。【００５１】試用期間  ２００７年１０月１５日〜１１月１５日
試用検体  上記花粉症及びアレルギー性鼻炎抑制シートＳ
試用患者  アレルギー性鼻炎患者６人試用方法  患者は１人当たり試用検体２枚の内１枚を就眠時枕に被せ、１枚を居間又は作業場の机の上においた。
結果      使用開始２日目から６人全員の鼻水が治った。鼻づまりが治った。
【実施例２】
【００５２】  次に、実施例１において作った花粉症及びアレルギー性鼻炎抑制シートＳによる、花粉症及びアレルギー性鼻炎抑制方法に従って試用を杉花粉症の患者６名に依頼した。試用の結果は次の通りであった。【００５３】試用期間  ２００８年２月５日〜２月２０日
試用検体  上記花粉症及びアレルギー性鼻炎抑制シートＳ
試用患者  杉花粉症患者６人試用方法  患者は１人当たり試用検体２枚の内１枚を就眠時枕に被せ、１枚を居間又は作業場の机の上においた。
結果      使用開始２日目から６人全員の鼻水が治った。鼻づまりが治った。又、６人中２人は涙目が治った。眼のかゆみが治ったが、残り４人の眼の症状が治らなかった。
１日当たりの外出時間は、始めの２人は２〜４時間、後の４人は４〜１０時間であった。
【実施例３】
【００５４】  上記の実施例２において、花粉症及びアレルギー性鼻炎抑制方法が、外出時間が多い４人の杉花粉症の患者に対して眼の症状の抑制に至らなかったことに対応するため、この４人に対して請求項７に記載の花粉症抑制マスクの試用を依頼した。試用の結果は下記のとおりであった。【００５５】試用期間  ２００８年２月２１日〜３月１日
試用検体  寸法９０×１７０ｍｍ・ポリプロピレン不織布２層の市販のマスクの内側に、上記花粉症及びアレルギー性鼻炎抑制シートＳの寸法１１０×１９０ｍｍをつけた花粉症抑制マスク。試用患者  杉花粉症患者４名・・・実施例２に続く
試用方法  上記花粉症抑制マスクに着ける花粉症及びアレルギー性鼻炎抑制シートＳ１１０×１９０ｍｍを患者は毎日新品と交換して、外出時に花粉症抑制マスクを着用した。又、屋内における花粉症及びアレルギー性鼻炎抑制シートＳを使用する実施例２を継続した。
結果      花粉症抑制マスク着用後、患者４名全員涙目、目のかゆみが治り、鼻水、鼻詰の発症はない状態が使用期間中継続した。
【実施例４】
【００５６】  次に、本発明の納豆菌を用いた花粉症及びアレルギー性鼻炎抑制容器の実施例を以下の通り説明する。【００５７】  納豆菌の担体として、実施例１に記載の２０×５０担体の平均重量４．２ｇのものを用いた。この２０×５０担体を納豆菌の個体数が１．４×１０６／ｇの菌液を潜らせて、納豆菌を２０×５０担体に付着させた後に水分率１６％まで乾燥した重量は２０×５０担体１枚当たり平均４．４ｇあった。この納豆菌を付着した２０×５０担体をナイロンとポリエチレン積層フィルムの袋に使用説明書と共に収納し、直ちに密封したものを花粉症及びアレルギー性鼻炎抑制シートＮとした。【００５８】  花粉症及びアレルギー性鼻炎抑制容器において、内容量１５０ｍｌ、且つ横断面が長方形のプラスチックの瓶に、上記花粉症及びアレルギー性鼻炎抑制シートＮの１枚平均４．４ｇのものを巾約１０〜２０ｍｍの範囲に裁断して収納したものを製作し、花粉症及びアレルギー性鼻炎抑制容器Ｎとして、外出時間が１日当たり４〜８時間以上の杉花粉症患者６名に試用を依頼した。試験の結果は次の通りであった。【００５９】試用期間  ２００９年２月２日〜２月１０日
試用検体  花粉症及びアレルギー性鼻炎抑制容器Ｎ  患者１人当たり１個試用
患者      杉花粉症患者６名
試用方法  試用検体を携帯し、顔面に向けた使用は、８時、１０時、１２時、１５時、１７時、２１時を目安とし１回当たり３回の噴射を行うものとした。
結果      ６名中５名は、使用開始後２日目から、鼻水、鼻詰まり並びに涙目、目のかゆみが治り、試用期間中効果は持続した。残り１名の鼻水、鼻詰まりは治ったが涙目、目のかゆみの症状は治らなかった。【００６０】  上記実施例１、実施例２、実施例３、及び実施例４が示したように、納豆菌及び／又は枯草菌の菌体及び胞子を取り込むことが、花粉症及びアレルギー性鼻炎抑制効果を発現するものであること、並びに、納豆菌及び／又は枯草菌の菌体及び胞子の担体に繊維を用いた本発明の花粉症及びアレルギー性鼻炎抑制用具は、花粉症及びアレルギー性鼻炎の患者の多様な生活様式に対応した納豆菌及び／又は枯草菌の菌体及び胞子を花粉症及びアレルギー性鼻炎を発症する目や鼻に取り込む手段を提供するものである。
【産業上の利用可能性】
【００６１】  花粉症及びアレルギー性鼻炎の患者は、その治療に時間と費用を消耗していると云う現状において、安全な自然菌とされる、納豆菌及び枯草菌を用いた本発明になる、花粉症及びアレルギー性鼻炎抑制用品が示す花粉症及びアレルギー性鼻炎の症状抑制の仕組みは、未解明とは云え、花粉症及びアレルギー性鼻炎の治療に新規の方法を提供していると云える。
【図面の簡単な説明】
【００６２】
【図１】本発明の実施形態示す花粉症及びアレルギー性鼻炎抑制送風機の断面図
【図２】本発明の実施形態示す花粉症及びアレルギー性鼻炎抑制扇風機ファンの断面図
【図３】本発明の実施形態示す花粉症及びアレルギー性鼻炎抑制容器の断面図
【図４】本発明の実施形態示す花粉症及びアレルギー性鼻炎抑制容器加圧時の断面図
【符号の説明】
【００６３】１  空気取入口                                  １１  蓋
４  ファン                                      １２  有孔中蓋
５  花粉症及びアレルギー性鼻炎抑制シート        １３  瓶
６  空気吹出口                                  １４  中蓋孔
７  ファン保護カバー
８  花粉症及びアレルギー性鼻炎抑制ロープ
【図１】
0004962746.tif 000002
【図２】
0004962746.tif 000003
【図３】
0004962746.tif 000004
【図４】
0004962746.tif 000005